(57)【要約】【課題】構造が簡単で生産性に優れ、部品点数が少なく軽量で携帯性及び取扱性、メンテナンス性に優れると共に、大判の用紙であってもコンパクトに折れ目等がつくことなく保持し、且つ、所望の位置に簡単に記入を行うことができる下敷構造体及び地図下書用携帯台板を提供することを目的とする。【解決手段】本発明の下敷構造体１は、表面が平滑で下敷面３が形成された下敷部２と、下敷部２の両側部に一体的に又は脱着自在で下敷部２の背面側に回り込むように湾曲して形成された湾曲部４ａ，４ｂと、湾曲部４ａ，４ｂの内部に形成された用紙保持部６ａ，６ｂと、を備えた構成を有している。本発明の地図下書用携帯台板は、下敷部２に拡げられた地図下書の両側部が丸められて形成され用紙保持部６ａ，６ｂに地図下書の各側部の丸められた部分が収納されている構成を有している。【選択図】　図１
2004090317.tif 000002
【特許請求の範囲】
【請求項１】
表面が平滑で平面状又は曲面状に下敷面が形成された下敷部と、
前記下敷部の両側部に一体的に又は脱着自在で前記下敷部の背面側に回り込むように湾曲して形成された湾曲部と、
前記湾曲部の内部に形成された用紙保持部と、
を備えていることを特徴とする下敷構造体。
【請求項２】
前記下敷部の背面に固定又は脱着自在に配設された把持部を備えていることを特徴とする請求項１に記載の下敷構造体。
【請求項３】
前記下敷部の前部及び後部の縁部が面取り又は縁取りされている、及び／又は、前記下敷部及び前記湾曲部の表面が滑り易い材質で形成又は滑り易く加工されていることを特徴とする請求項１又は２に記載の下敷構造体。
【請求項４】
前記湾曲部が、前記用紙保持部に丸められて保持される用紙の下部側に回り込んで形成されていることを特徴とする請求項１乃至３の内いずれか１項に記載の下敷構造体。
【請求項５】
大判の地図下書を携帯すると共に前記地図下書に記入を行うための地図下書用携帯台板であって、前記下敷部の前後部の長さが前記地図下敷の短手方向の長さの１／２〜１／５に形成され、前記下敷部に拡げられた前記地図下書の両側部が丸められて形成され前記用紙保持部に前記地図下書の各側部の丸められた部分が収納されていることを特徴とする地図下書用携帯台板。
【発明の詳細な説明】
【０００１】
【発明の属する技術分野】
本発明は、使用者が直立した状態で、或いは歩きながら地図下敷等の用紙に記入を行うための下敷構造体及び地図下敷用携帯台板に関するものである。
【０００２】
【従来の技術】
従来、地図下書等の調査員は屋外で使用者が直立した状態で、或いは歩きながら地図下書等の用紙に記入を行うために、用紙の下に敷いて用いる下敷構造体が種々開発されている。このような下敷構造体としては、特開平８−２８２１９０号公報（以下、イ号公報という）や特開平１１−１８３０９４号公報（以下、ロ号公報という）に開示されたものがある。
【０００３】
また、実開平２−１３３３９４号公報（以下、ハ号公報という）には、「平面盤の左右両側に自由に回転するように円筒を取り付けると共に、円筒に縦に切り込みを入れ、その切り込みに、写真、図面、及び地図の一端と他端を各々を挟んで円筒に巻き付けて円筒に納めることができるロールバン」が開示されている。
【０００４】
ところで、地図業界においては、地図作成の際に、調査員が調査用の原図をもとに現地調査を行っている。現地調査では、調査員が現地を実際に歩いて回り、一戸一戸の表札や看板等を見ながら、居住者名や建物名、番地を調査し、また、同時にバス停、交差点名や、一方通行等の交通規制情報等を詳しく調査している。なお、この際調査員は調査用の原図やペン等の筆記用具を携帯し、調査用の原図に直接、変更や訂正を記入している。
【０００５】
すなわち、現地調査を行う調査員は、調査用の原図を持って歩き回り、変更や訂正があれば立ち止まって原図に直接記入するといった作業を繰り返すことになる。従来では、直立した状態で記入するために、イ号公報やロ号公報に記載されているような台板や画板等を用い、地図下書を台板や画板に収まる大きさに折り畳んで載置し、変更や訂正を記入していた。
【０００６】
【発明が解決しようとする課題】
このような現地調査では、調査用の原図として、新しく地図を作成する地域では、縮図１／２５００〜１／５０００の地形や家形が記された白地図等が用いられ、地図情報を更新する場合は、前回出版した地図が用いられているが、いずれにしても、調査員はかなり大判の地図を持ち歩かなければならず、更にこの大判の原図に直立した状態で、或いは歩きながら変更や訂正を記入しなければならないため、上記のような方法では地図下書を折り畳むため折り目が形成されると共に、地図下書の記入部分を変更するために地図下書を広げて再度折り畳まなければならず使用性に欠けるという課題を有していた。また、折り畳みの回数が多いので折り目で切れたり破れたりするという事故が絶えないという課題を有していた。
また、イ号公報やロ号公報に開示の技術では、報告書程度の大きさの用紙であれば使用できるが、大判の地図の原図を台板上に保持することができず、使用性に欠けるという課題を有していた。
更に、イ号公報やロ号公報に開示の技術では、大判の用紙に合わせて台板を作製した場合は台板が大きく重量が有るため携帯性に欠けるという課題を有していた。
【０００７】
ハ号公報に開示のロールバンでは、円筒の両端に突起を配設し、平面盤を介して対向して立設された固定盤に穿設された穴に該突起を挿入して、円筒を平面盤の左右両側に自由に回転するように取り付けると共に、円筒に縦に切り込みを入れ、その切り込みに、写真等の一端を挟んで固定し円筒に巻き付けているので、このロールバンを構成するためには、写真等を巻き付ける円筒、円筒を保持する固定盤等が必要であり、少なくとも円筒は別部材で構成されるため部品点数が増加し生産性に欠けるという課題を有していた。
また、円筒に写真等を挟んで固定するための切り込みや突起を形成したり、固定盤に該突起を挿入する穴を穿設したりする必要があり、製造工数が増加し省力性に欠けると共に生産性に欠けるという課題を有していた。
更に、部品点数が多く加工部分も多いため、全体の重量が大きくなり携帯性に欠け、取扱性に欠けると共にメンテナンス性に欠けるという課題を有していた。
【０００８】
本発明は上記従来の課題を解決するもので、構造が簡単で生産性に優れ、部品点数が少なく軽量で携帯性及び取扱性、メンテナンス性に優れ、使用者が手に持って直立した状態で、或いは歩きながら容易に用紙に記入を行うことができると共に、大判の用紙であってもコンパクトに折れ目等がつくことなく保持し、且つ、所望の位置に簡単に記入を行うことができる下敷構造体及び地図下書用携帯台板を提供することを目的とする。
【０００９】
【課題を解決するための手段】
上記課題を解決するために本発明の下敷構造体及び地図下書用携帯台板は、以下の構成を有している。
【００１０】
本発明の請求項１に記載の下敷構造体は、表面が平滑で平面状又は曲面状に下敷面が形成された下敷部と、前記下敷部の両側部に一体的に又は脱着自在で前記下敷部の背面側に回り込むように湾曲して形成された湾曲部と、前記湾曲部の内部に形成された用紙保持部と、を備えた構成を有している。
【００１１】
この構成により、以下のような作用を有する。
（１）両端から中央に向かって用紙の両側を丸め、その丸められた部分を各々用紙保持部に収納して保持することができるので、大判の用紙であってもコンパクトに保持して容易に携帯することができる。
（２）用紙の両側の丸められた部分を用紙保持部に収納することで、その丸められた部分に挟まれた用紙の一部分が下敷面上に拡げられて配置されるので、使用者が直立した状態で、或いは歩きながら用紙の記入部分に容易に記入を行うことができる。
（３）下敷面を用紙の所望の位置に移動させ記入することができると共に、用紙保持部に装着された用紙の丸められた部分を回転させ、用紙を巻き込みながら用紙を左右方向に送り出すことができるので、用紙の所望の記入部分を下敷面上に移動させて記入を行うことができる。
（４）湾曲部が下敷部に一体的に形成されている場合は、構造が簡単で生産性に優れると共に、部品点数が少なく軽量で携帯性及び取扱性に優れる。
（５）構造が簡単で、且つ部品点数が少ないので、軽量で携帯性及び取扱性に優れると共に、メンテナンスが容易でメンテナンス性に優れ容易に清掃することができ、用紙保持部に保持した用紙が汚れたり、付着した砂埃等により傷ついたりすることを防ぐことができる。
（６）湾曲部が下敷部に脱着自在に形成されている場合は、用紙の剛性や厚さ等により、断面半円形状のものや湾曲の大きいもの等の種々の湾曲部を付け替えて使用することができ、種々の用紙に対応することができる。
【００１２】
下敷部は平板状に形成され、少なくとも用紙側の下敷面は用紙にスムーズに記載できるよう平面又は曲面の滑らかな平滑面に形成される。また、下敷部の長手方向の長さは、装着される用紙の縦幅（短手方向）の１／４〜１／２、好ましくは１／３程度の長さに形成される。下敷部の長手方向の長さが用紙の縦幅の１／４以下になると、用紙を装着した状態で用紙の上下部分が折れ曲がり易くなるため好ましくない。下敷部の長手方向の長さが用紙の縦幅の１／２以上になると、特に大判の用紙を用いる場合、下敷構造体が大型化し重量が大きくなり携帯性に欠けると共に、下敷部に一体的に形成された湾曲部も同様に大型化するため用紙保持部に用紙を装着し難く使用性に欠けるため好ましくない。なお、用紙としてＡ１サイズのものを用いる場合は、下敷部の長手方向の長さはＡ１サイズの縦幅の約１／３の２０ｃｍ程度に形成される。
下敷部の幅は、５０ｍｍ〜３００ｍｍ、好ましくは８０ｍｍ〜２５０ｍｍ、更に好ましくは１１０ｍｍ〜１５０ｍｍに形成される。下敷部の幅が８０ｍｍ以下になると、各湾曲部の端部間に形成された用紙挿入部が小さくなり、用紙の両端部の丸められた部分を用紙保持部に挿入し難くなり、５０ｍｍ未満ではその傾向が顕著になるため好ましくない。下敷部の幅が２５０ｍｍ以上になると、使用者が手で把持し難く持ち難くなり、３００ｍｍ以上ではその傾向が顕著になるため好ましくない。
【００１３】
湾曲部は下敷部の両側部に肉薄に配設され、前記下敷面に載置された用紙のうち、該下敷面からはみ出した部位を該下敷部の背面側に巻回させるよう湾曲して形成されることが好ましい。このように形成した場合、湾曲部の内部には巻回された用紙の保持空間（用紙保持部）が形成されることになり、その保持空間は用紙保持部として機能することになる。また、湾曲部は巻回された用紙の落下を防止する程度まで延びて形成されていることが好ましい。落下を防止する程度とは、用紙の剛性が強い場合（例えば上質紙）は、湾曲部の断面形状で半円程度に形成され、用紙の剛性が弱い場合（例えばトイレットペーパー）、湾曲部の断面形状で半円以上に形成されることが好ましい。
このように湾曲部は、下敷部の両側部から背面側に回り込むように湾曲して形成される。湾曲部の曲率半径としては、下敷部の幅にもよるが、１５ｍｍ〜３０ｍｍ、好ましくは１７ｍｍ〜２７ｍｍに形成される。湾曲部の曲率半径が１７ｍｍ以下になると、用紙保持部が小さくなって用紙の丸められた部分を保持することができなったり用紙保持部から外れ易くなったりし、１５ｍｍ未満ではその傾向が顕著になるため好ましくない。湾曲部の曲率半径が２７ｍｍ以上になると、湾曲部が大きくなり使用者が手で把持し難く携帯性に欠け、３０ｍｍ以上ではその傾向が顕著になるため好ましくない。なお、湾曲部は下敷部の背面側に回り込んで形成されれば一部を角状に形成してもよく、或いは断面視コ字形状や略多角形状に形成してもよい。
また、湾曲部に１乃至複数の孔部や開口部を設けてもよい。これにより、下敷構造体を軽量化することができ携帯性を向上させることができる。
更に、湾曲部の端部側は下敷部の側部の長さよりも短く形成（台形状や三角形状）してもよい。これにより、軽量化を図れると共に、装着した用紙が引っ掛かって破れることを防ぐことができる。
【００１４】
下敷部と湾曲部は射出成形や金型成形等により同一材料で一体的に形成することができる。下敷部や湾曲部の材質としては、塩化ビニール樹脂（ＰＶＣ）等の合成樹脂やアルミニウムやその合金等の軽量な金属等を用いることが好ましい。また、下敷部と湾曲部との連結部は、用紙の硬さや材質等にもよるが、装着した用紙に折り目がつかないように角を取って又は湾曲して形成されることが好ましい。
【００１５】
本発明の請求項２に記載の下敷構造体は、請求項１に記載の発明において、前記下敷部の背面に固定又は脱着自在に配設された把持部を備えた構成を有している。
【００１６】
この構成により、請求項１の作用に加え、以下のような作用を有する。
（１）使用者が把持部を把持して下敷構造体を用紙の上下方向にスライドさせることができるので、下敷面を用紙の所望の位置に移動させて記入を行うことができる。
（２）使用者が把持部を把持して下敷構造体を用紙の上下方向にスライドさせることができるので、特にＡ１等の大判の地図下書等に記入する場合は、記入部分の移動をスムーズに行うことができ使用性に優れる。
【００１７】
ここで、把持部の形状は、下敷部の背面に立設された棒状、鉤状、両端部が下敷部の背面に固着されたコ字形状等が用いられ、使用者が把持し易い形状が用いられる。特に、加工し易く、且つ用紙を用紙保持部に装着する際に妨げとならないように棒状に形成されることが好ましい。また、把持部は湾曲部の端部と同じ高さ、或いは湾曲部の端部より少し突出して形成されることが好ましい。把持部が湾曲部の端部と同じ高さであれば、重ねて収納することができ収納性に優れると共に、突出部分がないので使用者が携帯し易い。把持部が湾曲部の端部より少し突出して形成された場合は、用紙保持部に用紙を保持した状態であっても把持部を把持し易くスライド時の使用性に優れる。また、把持部を紐状のバンド等により形成することもできる。バンド状の把持部は紐状部材の両端部を下敷部の背面に固着して環状に形成することができ、この場合、使用者が把持し易く好ましい。
【００１８】
本発明の請求項３に記載の下敷構造体は、請求項１又は２に記載の発明において、前記下敷部の前部及び後部の縁部が面取り又は縁取りされている、及び／又は、前記下敷部及び前記湾曲部の表面が滑り易い材質で形成又は滑り易く加工された構成を有している。
【００１９】
この構成により、請求項１又は２の作用に加え、以下のような作用を有する。（１）下敷部の前部及び後部の縁部が面取り又は縁取りされているので、下敷構造体を用紙の上下方向にスライドさせる際に用紙に引っ掛かり難く、用紙が破れたり傷ついたりすることを防ぐことができると共に、下敷構造体を容易にスライドさせることができる。
（２）下敷部及び湾曲部の表面が滑り易い材質で形成又は滑り易く加工されているので、用紙がビニル製等であっても下敷構造体を用紙の上下方向に容易にスライドさせることができる。
【００２０】
下敷部及び湾曲部の表面の材質としては、塩化ビニール樹脂（ＰＶＣ）等の合成樹脂やアルミニウムやその合金等の軽量な金属等を用いることが好ましい。
【００２１】
本発明の請求項４に記載の下敷構造体は、請求項１乃至３の内いずれか１項に記載の発明において、前記湾曲部が、前記用紙保持部に丸められて保持される用紙の下部側に回り込んで形成された構成を有している。
【００２２】
この構成により、請求項１乃至３の内いずれか１項の作用に加え、以下のような作用を有する。
（１）用紙の両側の丸められた部分を各々用紙保持部に収納して、携帯時や使用時に落下しないよう確実に保持することができ、剛性の小さい、すなわち柔らかい用紙や薄い用紙であっても用紙の落下を防止することができる。
【００２３】
ここで、湾曲部は、用紙収納部に保持される用紙の剛性が大きい場合、例えば用紙が上質紙等である場合は、半円程度湾曲して形成されることが好ましく、また、用紙の剛性が小さい場合、例えば用紙がトイレットペーパー等である場合は、半円以上湾曲して形成されることが好ましい。
【００２４】
本発明の請求項５に記載の地図下書用携帯台板は、大判の地図下書を携帯すると共に前記地図下書に記入を行うための地図下書用携帯台板であって、前記下敷部の前後部の長さが前記地図下敷の短手方向の長さの１／２〜１／５に形成され、前記下敷部に拡げられた前記地図下書の両側部が丸められて形成され前記用紙保持部に前記地図下書の各側部の丸められた部分が収納された構成を有している。
【００２５】
この構成により、以下のような作用を有する。
（１）両端から中央に向かって地図下書を両側を丸め、その丸められた部分を各々用紙保持部に収納して保持することができるので、大判の地図下書をコンパクトに保持して容易に携帯することができる。
（２）地図下書の両側の丸められた部分を用紙保持部に収納することで、その丸められた部分に挟まれた記入部分が下敷面上に拡げられて配置されるので、使用者が直立した状態で、或いは歩きながら地図下書の記入部分に容易に記入を行うことができる。
（３）用紙保持部に装着された地図下書の丸められた部分を回転させ、巻き込みながら地図下書を左右方向に送り出すことができるので、下敷面を地図下書の所望の位置に移動させ、或いは地図下書の所望の記入部分を下敷面上に移動させて記入を行うことができる。
【００２６】
下敷部の長手方向の長さ、すなわち下敷部の前後部の長さは、使用する用紙Ｘの縦幅の長さ、すなわち短手方向の長さの１／２〜１／５、好ましくは１／３に設定される。これにより、地図下書等の用紙を装着した後、使用者が下敷構造体を用紙の前後方向にスライドさせる際に、装着した用紙が折れ曲がることを防ぐことができる。また、下敷構造体をコンパクトに形成することができ軽量化することができる。
【００２７】
【発明の実施の形態】
以下、本発明の一実施の形態について、図を用いて説明する。
（実施の形態１）
図１（ａ）は本実施の形態１における下敷構造体の上側要部斜視図であり、図１（ｂ）は本実施の形態１における下敷構造体の下側要部斜視図であり、図２（ａ）は本実施の形態１における下敷構造体の要部側面図であり、図２（ｂ）は本実施の形態１における下敷構造体の用紙を保持した状態を示す要部側面図である。
図中、１は本実施の形態１における下敷構造体、２は平板状に形成された下敷部、３は下敷部２の表面に形成された平面状の下敷面、３ａは下敷部２の背面、４ａ，４ｂは下敷部２の両端部に一体形成され下敷部２の背面３ａ側に回り込むように湾曲して形成された湾曲部、５ａ，５ｂは湾曲部４ａ，４ｂの端部、６ａ，６ｂは湾曲部４ａ，４ｂにより形成された用紙保持部、７は下敷部２の背面３ａの略中央部に立設された棒状の把持部、９は湾曲部４ａ，４ｂの端部５ａ，５ｂの間に形成された用紙挿入部、Ｘは用紙である。
【００２８】
下敷部２の表面には平面状の下敷面３が形成されている。下敷面３は平面状に限らず曲面状であってもよいが、少なくとも用紙Ｘの下に敷いて用紙Ｘに正確に文字や図形を記入できるようにその表面が滑らかに形成されることが好ましい。下敷部２と湾曲部４ａ，４ｂは一体的に形成されている。その材質としては、塩化ビニール樹脂（ＰＶＣ）等の合成樹脂やアルミニウムやその合金等の軽量な金属等を用いが用いられる。
また、下敷部２及び湾曲部４ａ，４ｂの長手方向（上下方向）側の両縁部は、各々面取りされて形成されている。これにより、下敷構造体１を用紙Ｘの縦方向にスライドさせる際に用紙Ｘに引っ掛かり難く、用紙Ｘが破れたり傷ついたりすることを防ぐことができる。
下敷部２の長手方向の長さは、使用する用紙Ｘの縦幅の長さの１／３程度に設定されている。これにより、用紙Ｘを用紙保持部６ａ，６ｂに収納して装着した後、使用者が把持部７を把持して下敷構造体１を用紙の上下方向にスライドさせ、下敷面３を用紙Ｘ上の所望の位置に移動させて記入を行うことができ、その際に装着した用紙Ｘの上下部分が折れ曲がることを防ぐことができる。また、下敷構造体１をコンパクトに形成することができ軽量化することができる。
下敷部２の幅は、使用者が一方の手で保持して他方の手で記入を行えるように手で持ちやすい大きさに形成されると共に、用紙挿入部９から用紙Ｘの両端部の丸められた部分を挿入し易い大きさに形成されることが好ましい。これにより、大判の用紙であってもコンパクトに保持して容易に携帯し簡単に記入作業を行うことができると共に、用紙Ｘの装着を容易に行うことができる。なお、本実施の形態１においては、下敷部２の幅は８０ｍｍ程度に形成されている。
また、用紙挿入部９は、用紙保持部６ａ，６ｂに用紙Ｘを挿入し易く、且つ、用紙Ｘを挿入し装着する際に使用者が手を入れて装着作業を行い易い大きさに形成される。本実施の形態１においては、用紙挿入部９の幅は、５０ｍｍ〜１００ｍｍ、好ましくは８５ｍｍとなるように設定されている。
【００２９】
湾曲部４ａ，４ｂは、下敷部２の両側部から背面３ａ側に回り込むように湾曲して形成され、内部に用紙保持部６ａ，６ｂが形成されている。なお、用紙保持部６ａ，６ｂに用紙Ｘを丸めて収納すると、丸められた用紙Ｘは外側に向かって開こうとする。このため、湾曲部４ａ，４ｂは用紙Ｘが開いて用紙保持部６ａ，６ｂから外れないように十分湾曲させて形成することが好ましい。本実施の形態１においては、湾曲部４ａ，４ｂの断面が略半円形になるように形成されている。これにより、用紙Ｘを用紙保持部６ａ，６ｂに確実に保持することができる。湾曲部４ａ，４ｂの曲率半径Ｒ１は、下敷部２の幅にもよるが、本実施の形態１においては、１７ｍｍ〜２７ｍｍ程度に形成されている。これにより、用紙保持部６ａ，６ｂが用紙Ｘの丸められた部分を保持できるよう十分確保されると共に使用者が持ち易く容易に携帯することができる。
また、湾曲部４ａ，４ｂの端部側は下敷部２の側部の長さよりも徐々に幅を狭めて形成し台形状や三角形状に形成してもよい。これにより、軽量化を図れると共に、装着した用紙Ｘが引っ掛かって破れることを防ぐことができる。
下敷部２と湾曲部４ａ，４ｂとの連結部は、図２（ａ）に示すように角が形成されないように湾曲して形成されている。湾曲した部分は折り目がつかない程度に湾曲して形成されている。これにより、下敷構造体１に装着された用紙Ｘに折り目がついたり、折り目がついた部分から破れたりすることを防ぐことができる。
また、図示していないが、本実施の形態１の下敷構造体１の湾曲部４ａ，４ｂに１乃至複数の孔部や開口部を設け、下敷構造体を軽量化することもできる。
把持部７は、下敷部２の背面３ａに立設され、その頂部が湾曲部４ａ，４ｂの端部５ａ，５ｂと同じか少し突出するようにその長さが設定されている。これにより、コンパクトになり携帯し易くなると共に、用紙保持部６ａ，６ｂに用紙Ｘを保持した状態であっても把持部７を把持し易く容易にスライドさせることができ使用性に優れる。なお、把持部７を下敷面２の背面３ａに脱着自在に配設することができる。この場合、用紙を装着する際に把持部を外すことができるので装着し易く用紙の装着作業性に優れる。
用紙Ｘとしては、紙材、合成樹脂材のシート状のものや、或いは紙材の用紙をビニル製等の保護シートに装着したもの等が用いられる。本実施の形態１においては、用紙Ｘとして、両側部に地図下書の縁部を差し込むための差込部が形成されたビニル製等の保護シートに紙材の地図下書を装着したものを用いた。
【００３０】
以上のように構成された下敷構造体について、以下その使用方法を図を用いて説明する。
図３は本実施の形態１における下敷構造体の用紙の装着動作を示す説明図であり、図４（ａ）は本実施の形態１における下敷構造体をスライドさせる際の使用状態図であり、図４（ｂ）は本実施の形態１における下敷構造体の用紙を送る際の使用状態図であり、図５は本実施の形態１における下敷構造体の輪ゴムを使用した使用状態図である。
図中、図１又は２において説明したものと同様のものは同一の符号を付けて説明を省略する。１０は用紙Ｘを下敷構造体１に保持された状態で巻着する輪ゴム等の巻着体、１１は下敷構造体１と下敷部の下敷面３上に拡げられた地図下書である用紙Ｘとにより構成された地図下書用携帯台板、Ｙは用紙Ｘ上の記入可能な記入部分、Ｚはペンである。
【００３１】
図３に示すように、用紙Ｘを下敷構造体１に装着する場合、まず、用紙Ｘ上に下敷部２の背面３ａを上にして下敷構造体１を配置し、用紙Ｘの一方の端部を中央部に向かって丸めて用紙挿入部９から挿入し下敷構造体１の用紙保持部６ａに装着する。次に、同様にして用紙Ｘの他方の端部を丸めて用紙保持部６ｂに装着する。このようにして、用紙Ｘを両側から中央部に向かって丸め、丸まった部分が把持部７を挟んで各々用紙保持部６ａ，６ｂに装着されると共に、両側の丸まった部分に挟まれた部分（記入部分）が下敷部２の背面３ａの裏側の下敷面上に配置される。
【００３２】
図４（ａ）に示すように、用紙Ｘを下敷構造体１に装着した状態で下敷面３が配置された用紙Ｘの記入部分ＹにペンＺにより記入を行うことができる。更に、用紙Ｘの記入部分Ｙを上下方向に変更したい場合、例えば現在の記入部分Ｙより更に下側に記入したい場合は、把持部７を把持して下敷構造体１を用紙Ｘの下方向（図中の矢印方向）にスライドさせ、下敷面３を所望の位置に移動させることができる。
また、図４（ｂ）に示すように、用紙Ｘの記入部分Ｙを左右方向に変更したい場合、例えば現在の記入部分Ｙより更に用紙Ｘの左側に記入したい場合は、用紙Ｘの右側の丸められた部分Ｘ′を右方向に回転させ、右側の丸められた部分Ｘ′に用紙Ｘを巻き込みながら用紙Ｘを右側（図中の矢印方向）に送り出し、記入部分Ｙを用紙の左側に移動させ、所望の記入部分Ｙを下敷面３上に移動させることができる。
このようにして、下敷面３を所望の記入部分Ｙの下部に移動させて、或いは用紙Ｘを送ることで所望の記入部分Ｙを下敷面３上に移動させて、下敷面３上の記入部分Ｙに記入を行うことができる。
【００３３】
なお、図５に示すように、用紙Ｘを下敷構造体１により保持した状態で携帯する場合に、巻着体１０により用紙Ｘを下敷構造体１と共に巻着することができる。これにより、用紙Ｘが用紙保持部６ａ，６ｂから外れることがなく確実に携帯でき携帯性に優れる。ここで、巻着体１０としては、輪ゴム等の弾性体や紐等が用いられる。
【００３４】
以上のように、本実施の形態１における下敷構造体１及び地図下書用携帯台板１１は構成されているので、以下のような作用を有する。
（１）用紙Ｘを両端から中央に向かって丸め、その丸められた部分を用紙保持部６ａ，６ｂに収納して保持することができるので、大判の用紙であってもコンパクトに保持して容易に携帯することができる。更に、丸めた用紙Ｘの間の記入部分Ｙが下敷面３上に配置されるので、使用者が直立した状態で、或いは歩きながら記入部分Ｙに容易に記入を行うことができる。
（２）把持部７を把持して下敷構造体１を用紙Ｘの上下方向にスライドさせることができると共に、用紙Ｘの丸められた部分Ｘ′を回転させ、用紙Ｘを巻き込みながら用紙Ｘを左右方向に送り出すことができるので、下敷面３を用紙Ｘ上の所望の位置に移動させ、或いは用紙Ｘの所望の記入部分Ｙを下敷面３上に移動させて用紙Ｘに記入を行うことができる。
（３）把持部７が湾曲部４ａ，４ｂの端部５ａ，５ｂより突出して形成されるので、用紙保持部６ａ，６ｂに丸めた用紙Ｘを保持した状態であっても、使用者が把持部７を把持し易く使用性に優れる。
（４）下敷部２と湾曲部４ａ、４ｂが一体的に形成されているので、構造が簡単で生産性に優れると共に、部品点数が少なく軽量で携帯性及び取扱性に優れ、使用者が手に持って直立した状態で、或いは歩きながら容易に用紙Ｘに記入を行うことができると共に、構造が簡単で、且つ部品点数が少ないので、メンテナンスが容易でメンテナンス性に優れ容易に清掃することができ、用紙保持部６ａ，６ｂに保持した用紙Ｘが汚れたり、付着した砂埃等により傷ついたりすることを防ぐことができる。
【００３５】
なお、本実施の形態１においては、下敷構造体１として把持部７を備えたものについて説明したがこれに限られるものではなく、把持部７を備えていなくてもよい。この場合、射出成形等により下敷構造体１を製造し易く生産性に優れる。
【００３６】
（実施の形態２）
図６（ａ）は本実施の形態２における下敷構造体の要部側面図であり、図６（ｂ）は本実施の形態１における下敷構造体の用紙を保持した状態を示す要部側面図である。
図中、２は下敷部、３は下敷面、３ａは下敷部２の背面、７は把持部、９は用紙挿入部、Ｘは用紙であり、これらは実施の形態１において説明したものと同様であるので同一の符号を付けて説明を省略する。２１は本実施の形態２における下敷構造体、２４ａ，２４ｂは下敷部２２の両端部に一体形成され下敷部２の背面３ａ側に回り込むように湾曲して形成された湾曲部、２５ａ，２５ｂは湾曲部２４ａ，２４ｂの端部に突設して形成された端部突起部、２６ａ，２６ｂは湾曲部２４ａ，２４ｂにより形成された用紙保持部である。
本実施の形態２においては、湾曲部２４ａ，２４ｂの下部側が角状に形成されると共に、湾曲部２４ａ，２４ｂの端部に上方に突出した端部突起部２５ａ，２５ｂが形成されている。端部突起部２５ａ，２５ｂは湾曲部２４ａ，２４ｂの端部縁部に沿って長尺状に設けてもよく、或いは、端部縁部に沿って１乃至複数の突起を並設して設けてもよい。
以上のように構成された本実施の形態２における下敷構造体の動作は、実施の形態１で説明したものと同様であるので省略する。
【００３７】
以上のように、本実施の形態２における下敷構造体２１は構成されているので、実施の形態１の作用に加え、以下のような作用を有する。
（１）用紙Ｘを両端から中央に向かって丸め、その丸められた部分を用紙保持部２６ａ，２６ｂに収納して保持することができると共に、湾曲部２４ａ，２４ｂの端部に上方に突出した端部突起部２５ａ，２５ｂが形成されているので、収納された用紙Ｘの丸められた部分が用紙保持部２６ａ，２６ｂから外れ難く装着性を向上させることができ、携帯性に優れる。
【００３８】
（実施の形態３）
図７（ａ）は本実施の形態３における下敷構造体の要部斜視図であり、図７（ｂ）は図７（ａ）のＡ−Ａ線の矢視断面図である。
図中、３１は本実施の形態３における下敷構造体、３２は平板状に形成された下敷部、３３は下敷部３２の表面に形成された平面状の下敷面、３３ａは下敷部３２の背面、３４ａ，３４ｂは下敷部３２の両端部に一体形成された湾曲部、３５ａ，３５ｂは下敷部３２の両端部と湾曲部３４ａ，３４ｂとの境界部分に配設された用紙導出口、３６ａ，３６ｂは湾曲部３４ａ，３４ｂにより形成された用紙保持部、Ｘは用紙である。
【００３９】
以上のように構成された本実施の形態３における下敷構造体３１が実施の形態１と異なる点は、用紙導出口３５ａ，３５ｂを備えている点である。
用紙導出口３５ａ，３５ｂは、下敷部３２の両端部と湾曲部４ａ，４ｂとの境界部分に配設され、その境界部分に沿って開口され長尺に形成されている。用紙導出口３５ａ，３５ｂの長手方向の長さは、下敷構造体３１に装着される用紙Ｘの幅より少し大きくなるように形成され、用紙Ｘは、その央部が下敷部３２の下敷面３３上に拡げられると共に、その両端部が各々用紙導出口３５ａ，３５ｂに上方から挿入され、用紙保持部３６ａ，３６ｂに丸められて保持されている。
また、用紙導出口３５ａ，３５ｂの用紙Ｘと接触する縁部は面取りされることが好ましい。これにより、装着された用紙Ｘに折り目がつくことを防ぐことができる。
【００４０】
以上のように、本実施の形態３における下敷構造体３１は構成されているので、実施の形態１の作用に加え、用紙Ｘの両端側が下敷面３３側から用紙導出口３５ａ，３５ｂに挿入されているので、強風の場合であっても用紙Ｘが下敷構造体３１から外れ難く携帯性に優れると共に、確実に装着して書き込み等の作業を行うことができ作業性に優れるという作用を有する。また、下敷構造体３１の側部に用紙Ｘが露出しないので、地図等の用紙Ｘへの書き込み時や搬送時に手垢等により用紙Ｘが汚れることを防ぐことができるという作用を有する。
【００４１】
（実施の形態４）
図８（ａ）は本実施の形態４における下敷構造体の要部側面図であり、図８（ｂ）は本実施の形態４における下敷構造体の湾曲部を変更した場合の要部側面図である。
図中、４１，４１′は本実施の形態４における下敷構造体、４２は平板状に形成された下敷部、４３は下敷部４２の表面に形成された平面状の下敷面、４３ａは下敷部４２の背面、４４ａ，４４ｂ，４５ａ，４５ｂは下敷部４２の両端部に脱着自在に配設される湾曲部、４６ａ，４６ｂは用紙保持部、４７ａ，４７ｂは下敷部４２の両端部に配設された凸状係着部、４８ａは湾曲部４４ａ，４５ａの端部に配設され凸状係着部４７ａに係着する凹状係着部、４８ｂは湾曲部４４ｂ，４５ｂの端部に配設され凸状係着部４７ｂに係着する凹状係着部である。
以上のように構成された本実施の形態４における下敷構造体４１，４１′が実施の形態１と異なる点は、湾曲部４４ａ，４４ｂ，４５ａ，４５ｂが、各々下敷部４２の両端部に脱着自在に配設されている点である。
図８（ａ）に示すように、湾曲部４４ａ，４４ｂは、その端部が下敷部４２の背面４３ａ側へ大きく回り込んで形成されている。これにより、剛性の低い用紙や薄い用紙であっても、用紙保持部４６ａ，４６ｂから外れることなく確実に用紙保持部４６ａ，４６ｂに保持することができる。なお、この場合、下敷構造体４１への用紙の装着は、湾曲部４４ａ，４４ｂの手前側又は奥手側から、用紙の丸められた部分を挿し込むようにして行うことができる。
図８（ｂ）に示すように、湾曲部４５ａ，４５ｂは、断面視形状が略半円形状に形成され、湾曲部４５ａ，４５ｂの端部の下敷部４２の背面４３ａ側への回り込みが小さくなるように形成されている。これにより、剛性の高い用紙や厚い用紙であっても、用紙保持部４６ａ，４６ｂに十分保持できると共に、用紙保持部４６ａ，４６ｂの開口部分が大きく設けられているので、用紙Ｘの丸められた部分を容易に挿入して装着することができる。
なお、本実施の形態４においては、湾曲部４４ａ，４４ｂ，４５ａ，４５ｂを下敷部４２に脱着自在に係着するために、下敷部４２側に凸状係着部４７ａ，４７ｂを設け、湾曲部４４ａ，４４ｂ，４５ａ，４５ｂ側に凸状係着部４７ａ，４７ｂに係着する凹状係着部４８ａ，４８ｂを設け、凹状係着部４８ａ，４８ｂに凸状係着部４７ａ，４７ｂを嵌合して係着しているが、これに限られるものではなく、湾曲部４４ａ，４４ｂ，４５ａ，４５ｂを下敷部４２に脱着自在に係着できるものであればよい。
また、本実施の形態１のように、湾曲部４４ａ，４４ｂ，４５ａ，４５ｂが、各々下敷部４２の両端部に脱着自在に配設されている場合は、把持部を下敷面２の背面３ａに脱着自在に配設することもできる。この場合、用紙を装着する際に把持部を外すことができるので装着し易く用紙の装着作業性に優れると共に、下敷部４２から湾曲部や把持部は外せば平板になるため携帯性や収納性に優れる。
【００４２】
以上のように、本実施の形態４における下敷構造体４１，４１′は構成されているので、実施の形態１の作用に加え、用紙の剛性や厚さ等により、湾曲部４４ａ，４４ｂ，４５ａ，４５ｂを付け替えて使用することができ、種々の用紙に対応することができるという作用を有する。
【００４３】
【発明の効果】
以上説明したように本発明の下敷構造体によれば、以下のような有利な効果が得られる。
【００４４】
請求項１に記載の発明によれば、
（１）両端から中央に向かって用紙の両側を丸め、その丸められた部分を各々用紙保持部に収納して保持することができるので、大判の用紙であってもコンパクトに保持して容易に携帯することができる携帯性に優れた下敷構造体を提供することができる。
（２）用紙の両側の丸められた部分を用紙保持部に収納することで、その丸められた部分に挟まれた用紙の一部分が下敷面上に拡げられて配置されるので、使用者が直立した状態で、或いは歩きながら用紙の記入部分に容易に記入を行うことができる使用性に優れた下敷構造体を提供することができる。
（３）下敷面を用紙の所望の位置に移動させ記入することができると共に、用紙保持部に装着された用紙の丸められた部分を回転させ、用紙を巻き込みながら用紙を左右方向に送り出すことができるので、用紙の所望の記入部分を下敷面上に移動させて記入を行うことができる下敷構造体を提供することができる。
（４）湾曲部が下敷部に一体的に形成されている場合は、構造が簡単で生産性に優れると共に、部品点数が少なく軽量で携帯性及び取扱性に優れる下敷構造体を提供することができる。
（５）構造が簡単で、且つ部品点数が少ないので、軽量で携帯性及び取扱性に優れると共に、メンテナンスが容易でメンテナンス性に優れ容易に清掃することができ、用紙保持部に保持した用紙が汚れたり、付着した砂埃等により傷ついたりすることを防ぐことができる下敷構造体を提供することができる。
（６）湾曲部が下敷部に脱着自在に形成されている場合は、用紙の剛性や厚さ等により、断面半円形状のものや湾曲の大きいもの等の種々の湾曲部を付け替えて使用することができ、種々の用紙に対応することができる下敷構造体を提供することができる。
【００４５】
請求項２に記載の発明によれば、請求項１の効果に加え、
（１）使用者が把持部を把持して下敷構造体を用紙の上下方向にスライドさせることができるので、下敷面を用紙の所望の位置に移動させて記入を行うことができる使用性に優れた下敷構造体を提供することができる。
（２）使用者が把持部を把持して下敷構造体を用紙の上下方向にスライドさせることができるので、特にＡ１等の大判の地図下書等に記入する場合は、記入部分の移動をスムーズに行うことができる使用性に優れた下敷構造体を提供することができる。
【００４６】
請求項３に記載の発明によれば、請求項１又は２の効果に加え、
（１）下敷部の前部及び後部の縁部が面取り又は縁取りされているので、下敷構造体を用紙の上下方向にスライドさせる際に用紙に引っ掛かり難く、用紙が破れたり傷ついたりすることを防ぐことができると共に、下敷構造体を容易にスライドさせることができる下敷構造体を提供することができる。
（２）下敷部及び湾曲部の表面が滑り易い材質で形成又は滑り易く加工されているので、用紙がビニル製等であっても下敷構造体を用紙の上下方向に容易にスライドさせることができる下敷構造体を提供することができる。
【００４７】
請求項４に記載の発明によれば、請求項１乃至３の内いずれか１項の効果に加え、
（１）用紙の両側の丸められた部分を各々用紙保持部に収納して、携帯時や使用時に落下しないよう確実に保持することができ、剛性の小さい、すなわち柔らかい用紙や薄い用紙であっても用紙の落下を防止することができる下敷構造体を提供することができる。
【００４８】
請求項５に記載の発明によれば、
（１）両端から中央に向かって地図下書を両側を丸め、その丸められた部分を各々用紙保持部に収納して保持することができるので、大判の地図下書をコンパクトに保持して容易に携帯することができる地図下書用携帯台板を提供することができる。
（２）地図下書の両側の丸められた部分を用紙保持部に収納することで、その丸められた部分に挟まれた記入部分が下敷面上に拡げられて配置されるので、使用者が直立した状態で、或いは歩きながら地図下書の記入部分に容易に記入を行うことができる地図下書用携帯台板を提供することができる。
（３）用紙保持部に装着された地図下書の丸められた部分を回転させ、巻き込みながら地図下書を左右方向に送り出すことができるので、下敷面を地図下書の所望の位置に移動させ、或いは地図下書の所望の記入部分を下敷面上に移動させて記入を行うことができる地図下書用携帯台板を提供することができる。
【図面の簡単な説明】
【図１】（ａ）実施の形態１における下敷構造体の上側要部斜視図
（ｂ）実施の形態１における下敷構造体の下側要部斜視図
【図２】（ａ）実施の形態１における下敷構造体の要部側面図
（ｂ）実施の形態１における下敷構造体の用紙を保持した状態を示す要部側面図
【図３】実施の形態１における下敷構造体の用紙の装着動作を示す説明図
【図４】（ａ）実施の形態１における下敷構造体をスライドさせる際の使用状態図
（ｂ）実施の形態１における下敷構造体の用紙を送る際の使用状態図
【図５】実施の形態１における下敷構造体の輪ゴムを使用した使用状態図
【図６】（ａ）実施の形態２における下敷構造体の要部側面図
（ｂ）実施の形態２における下敷構造体の用紙を保持した状態を示す要部側面図
【図７】（ａ）実施の形態３における下敷構造体の要部斜視図
（ｂ）図７（ａ）のＡ−Ａ線の矢視断面図
【図８】（ａ）実施の形態４における下敷構造体の要部側面図
（ｂ）実施の形態４における下敷構造体の湾曲部を変更した場合の要部側面図
【符号の説明】
１，２１，３１，４１，４１′　下敷構造体
２，３２，４２　下敷部
３，３３，４３　下敷面
３ａ，３３ａ，４３ａ　背面
４ａ，４ｂ，２４ａ，２４ｂ，３４ａ，３４ｂ，４４ａ，４４ｂ，４５ａ，４５ｂ　湾曲部
５ａ，５ｂ　端部
６ａ，６ｂ，２６ａ，２６ｂ，３６ａ，３６ｂ，４６ａ，４６ｂ　用紙保持部
７　把持部
９　用紙挿入部
１０　巻着体
１１　地図下書用携帯台板
２５ａ，２５ｂ　端部突起部
３５ａ，３５ｂ　用紙導出口
４７ａ，４７ｂ　凸状係着部
４８ａ，４８ｂ　凹状係着部
Ｘ　用紙
Ｙ　記入部分
Ｚ　ペン
【図１】
2004090317.tif 000003
【図２】
2004090317.tif 000004
【図３】
2004090317.tif 000005
【図４】
2004090317.tif 000006
【図５】
2004090317.tif 000007
【図６】
2004090317.tif 000008
【図７】
2004090317.tif 000009
【図８】
2004090317.tif 000010